(57)【要約】      （修正有）【課題】毛様筋の緊張と内直筋の緊張を同時に解決し、目が疲れにくいようにする、プリズム入り近点作業用メガネを提供する。【解決手段】プリズムレンズ度数＋０．５０〜＋２．００の範囲のプリズムレンズ４、凸レンズ度数＋１．０〜＋３．０Ｄの範囲の凸レンズ３、ブルーライトカットレンズを組み合わせて一体化したレンズをメガネフレームに形成したことを特徴とするプリズム入り近点作業用メガネ。【選択図】図１
0003235552.tif 000002
【実用新案登録請求の範囲】
【請求項１】
プリズム（４）（０．５０〜２．００未満）＋凸レンズ（３）＋ブルーライトカットを組み合わせて一体化したレンズを使用して、近点作業用メガネを作る。
この技術的な部分が私の権利です。
【考案の詳細な説明】
【技術分野】
【０００１】この発明は、近点作業用メガネで、目が疲れにくいようにするメガネである。
【背景技術】
【０００２】従来、人間は近くを見る時、その近点に焦点を合わせる。この時遠用時に見る時と異なり内直筋、毛様筋などの緊張を強いる近点作業は時間と共にその疲労度を増すこととなります。
上記の事柄により内直筋、毛様筋の開放は疲労度の軽減に繋がるものと考える。
【先行技術文献】
【特許文献】
【０００３】
【考案の概要】
【考案が解決しようとする課題】
【０００４】（イ）これは、次のような欠点があった、近年では、電子機器技術の発展によりパソコン、スマートフォン、ゲーム機など、コンパクトな機器が普及して、小さな子供から老人まで（画面など）近くを見る事が多くなり、視力低下や目のトラブルが昔より増えてきている。
（ロ）従来、目の疲れには、大きく二つの原因があった。
その一つは、毛様筋の緊張状態、もう一つは内直筋の緊張状態にあります。
この二つは、自律神経がつかさどっており集中力の低下にも繋がり、目の疲れや物の考え方が出来なくなったり、ストレスの原因でもあり、こう言った弊害がある。
本発明は、以上のような欠点をなくすためになされたものである。
【課題を解決するための手段】
【０００５】プリズム入り近点作業用メガネの作品はこのような構成です。
まず内直筋の緊張状態をどうすればよいか
プリズム（０．５０〜２．００未満）を使用する。
（プリズムとは何か）二等辺三角形の一辺の長さが一番短いところ一辺（これをプリズムにおける一辺を基底と言う）一点の光が必ずプリズムは基底方向に屈折する性質がある。
このプリズムの屈折性質を利用する。
例えば、遠くを見ていて、遠用、無限遠からきた像を見てる時は、自律神経の介入がほとんどないリラックスした状態である。
定義の一つとして、それが静的状態、言わゆるリラックスした状態の事である。
静的状態において、無限遠からくる像が、角膜、水晶体、硝子体、網膜の中心窩に結像する状態の事を正視と言う。
つまり、それと逆に近用においては緊張状態で毛様筋、内直筋の疲労があるこれを緩和の為、凸レンズ＋プリズムを使用する。
もう一つの毛様筋の緊張をどうしたら良いかこれには、凸レンズを使用する。凸レンズの性質を利用すれば、毛様筋の緊張は開放されるのである。同時にブルーライトカットも使用する。
これらのレンズ機能を利用したものが近点作業用メガネとなる（３０センチ〜４０センチ）でも楽に見る事が出来るのである。
実際には、近くを見てるけど、少し遠くを見てるような状態で楽に見る事が出来る。
内直筋はプリズムで緩和され、毛様筋は凸レンズで緩和する事ができる。
近年では、パソコン及びスマートフォンの使用にて、年齢とは関係なく近視の状態が進むのが最近著しく目立っております。
この近視状態を予防するのが、同時に、このメガネで出来ます。
これも一つの特徴です。言わゆる、近視と言う病気をつくらないと言うのが、ものすごく大事な役目でもあります。
近点作業用メガネは、長時間作業が出来る状態をつくるメガネである。
尚且つ、目を楽にするだけじゃなくて、実は近視、毛様筋の開放により予防する大きな役割を持つのです。
本発明は、以上の構成よりなる、プリズム入り、凸レンズとの組み合わせ近点作業用拡大鏡メガネである。
【考案の効果】
【０００６】（イ）（０．５０〜２．００未満）のプリズム＋ブルーライトカット＋凸レンズを組み合わせて一体化レンズにする事により、画期的な緩和に働く。
（ロ）スマートフォンの画面やゲーム機の小さな画面で、近点で作業したり、見たりする場合は効果大である。
（ハ）小さな子供から老人まで使えるメガネである。現在、目が正視の人でも近点作業用メガネとして、幅広く誰でも使用する事ができる。
（ニ）プリズム入り近点作業用メガネは、三つの大きな役割をもつ、一つ目は輻輳の緩和、二つ目はストレスの緩和、三つ目は近視予防となる毛様筋の緩和、とても重要な役割である。
【図面の簡単な説明】
【０００７】
【図１】本発明の垂直断面図である。（１）瞳孔間距離である。（２）光学中心、真っ直ぐな光となり入っていく（３）凸レンズ（４）プリズムに入る。（５）焦点が合わない３０センチ〜４０センチのところにあるとし目をより目にすると輻輳（内直筋の緊張）が起きてくる。目が疲れる状態である。楽にするにはどうすればよいか。（６）毛様筋（７）内直筋この二つが疲れる状態である。（８）眼球回転軸が内側に輻輳運動にて疲れる。（１１）焦点を６０センチ〜７０センチに伸ばしてあげる（実際には離さない）これを（１２）凸レンズの屈折性質を利用する。（１０）プリズムの基底方向へ曲げる性質の作用にて網膜の（９）中心窩に結像させる。プリズム＋凸レンズ＋ブルーライトカットを組み合わせて一体化したレンズにする事で内直筋、毛様筋の緊張状態を緩和する事になります。実際の見る対象物を後方で見せる効果が出る。（１３）水晶体で弱めてあげると言う事です。そうする事により（７）内直筋が緩和され（６）同時に毛様筋の緊張も緩和する。
【考案を実施するための形態】
【０００８】以下、本発明を実施するための形態について説明する。
（４）メガネのレンズにプリズム（０．５０〜２．００未満）使用する。
（３）同時に凸レンズ、ブルーライトカットも使用する。
一体化したレンズを使用して近点作業用メガネを作る。
本発明は、以上のような構造である。
【符号の説明】
【０００９】  １    瞳孔間距離
２    光学中心
３    凸レンズ
４    プリズムレンズ
５    ３０センチ〜４０センチ
６    毛様筋
７    内直筋
８    眼球回転軸
９    中心窩
１０  プリズムの基底方向に屈折する性質を応用する。
１１  ６０センチ〜７０センチ
１２  凸レンズの屈折の性質を応用する。
１３  水晶体
【図１】
0003235552.tif 000003
【手続補正書】
【提出日】令和3年7月7日(2021.7.7)
【手続補正１】
【補正対象書類名】実用新案登録請求の範囲
【補正対象項目名】全文
【補正方法】変更
【補正の内容】
【実用新案登録請求の範囲】
【請求項１】
プリズムレンズ度数＋０．５０〜＋２．００の範囲の屈折状態にあることを
特徴とするプリズム入り近点作業用メガネ
【請求項２】
凸レンズ度数＋１．０〜＋３．０Ｄの範囲の調節状態にあることを
特徴とするプリズム入り近点作業用メガネ
【請求項３】
ブルーライトカットレンズを使用することを特徴とする
プリズム入り近点作業用メガネ
【請求項４】
請求項１、請求項２、請求項３、のレンズを一体化して形成することを
特徴とするプリズム入り近点作業用メガネ
【請求項５】
請求項４の一体化レンズを、メガネフレームに形成するこを
特徴とするプリズム入り近点作業用メガネ
【手続補正書】
【提出日】令和3年10月4日(2021.10.4)
【手続補正１】
【補正対象書類名】実用新案登録請求の範囲
【補正対象項目名】全文
【補正方法】変更
【補正の内容】
【実用新案登録請求の範囲】
【請求項１】
プリズムレンズ度数＋０．５０〜＋２．００の範囲の屈折状態にあることを特徴とするプリズム入り近点作業用メガネ。
【請求項２】
凸レンズ度数＋１．０〜＋３．０Ｄの範囲の調節状態にあることを特徴とするプリズム入り近点作業用メガネ。
【請求項３】
ブルーライトカットレンズを使用することを特徴とするプリズム入り近点作業用メガネ。
【請求項４】
プリズムレンズ度数＋０．５０〜＋２．００の範囲のプリズムレンズ、凸レンズ度数＋１．０〜＋３．０Ｄの範囲の凸レンズ、
ブルーライトカットレンズを一体化したレンズとして形成することを特徴とするプリズム入り近点作業用メガネ。
【請求項５】
プリズムレンズ度数＋０．５０〜＋２．００の範囲のプリズムレンズ、凸レンズ度数＋１．０〜＋３．０Ｄの範囲の凸レンズ、
ブルーライトカットレンズを一体化したレンズをメガネフレームに形成したことを特徴とするプリズム入り近点作業用メガネ。